【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
データをデータチャネルでプロトコルデータユニットの形で送信するステップと、
前記プロトコルデータユニットにシーケンス番号を設定するステップと、
前記シーケンス番号を制御チャネルで送信するステップと、を有し、
前記シーケンス番号は、前記データチャネルのアロケーションメッセージと多重化されて前記制御チャネルで送信される、
ハイブリッドＡＲＱ送信方法。
【請求項２】
前記シーケンス番号は、再送するプロトコルデータユニットとすでに送信したプロトコルデータユニットとを連結すべきかを示す、請求項１記載のハイブリッドＡＲＱ送信方法。
【請求項３】
前記アロケーションメッセージは、前記データチャネルのトランスポートフォーマットを示す情報を含む、請求項１または請求項２記載のハイブリッドＡＲＱ送信方法。
【請求項４】
前記アロケーションメッセージは、前記データチャネルのトランスポートフォーマットインジケータを含む、請求項１から請求項３のいずれかに記載のハイブリッドＡＲＱ送信方法。
【請求項５】
前の送信に対する受信が成功したか否かを示すメッセージを受信するステップ、
を有する請求項１から請求項４のいずれかに記載のハイブリッドＡＲＱ送信方法。
【請求項６】
前記データの再送要求を受信するステップと、
前記データを再送するステップと、
を有する請求項１から請求項５のいずれかに記載のハイブリッドＡＲＱ送信方法。
【請求項７】
データをデータチャネルでプロトコルデータユニットの形で送信する送信部と、
前記プロトコルデータユニットにシーケンス番号を設定する設定部と、を有し、
前記送信部は、
前記シーケンス番号を、前記データチャネルのアロケーションメッセージと多重化して制御チャネルで送信する、
ハイブリッドＡＲＱ送信装置。
【請求項８】
前記シーケンス番号は、再送するプロトコルデータユニットとすでに送信したプロトコルデータユニットとを連結すべきかを示す、請求項７記載のハイブリッドＡＲＱ送信装置。
【請求項９】
前記アロケーションメッセージは、前記データチャネルのトランスポートフォーマットを示す情報を含む、請求項７または請求項８記載のハイブリッドＡＲＱ送信装置。
【請求項１０】
前記アロケーションメッセージは、前記データチャネルのトランスポートフォーマットインジケータを含む、請求項７から請求項９のいずれかに記載のハイブリッドＡＲＱ送信装置。
【請求項１１】
前の送信に対する受信が成功したか否かを示すメッセージを受信する受信部、
を有する請求項７から請求項１０のいずれかに記載のハイブリッドＡＲＱ送信装置。
【請求項１２】
前記データの再送要求を受信する受信部、を有し、
前記送信部は、
前記データを再送する、
請求項７から請求項１１のいずれかに記載のハイブリッドＡＲＱ送信装置。
【請求項１３】
請求項１から請求項６のいずれかに記載のハイブリッドＡＲＱ送信方法によって送信された前記プロトコルデータユニットおよび前記シーケンス番号を受信するステップを有するハイブリッドＡＲＱ受信方法。
【請求項１４】
請求項７から請求項１２のいずれかに記載のハイブリッドＡＲＱ送信装置によって送信された前記プロトコルデータユニットおよび前記シーケンス番号を受信する受信部を有するハイブリッドＡＲＱ受信装置。
【請求項１５】
データをデータチャネルでプロトコルデータユニットの形で送信するステップと、
前記プロトコルデータユニットにシーケンス番号を設定するステップと、
前記シーケンス番号を専用制御チャネルで送信するステップと、を有し、
前記シーケンス番号は、前記データチャネルのトランスポートフォーマットインジケータと多重化されて前記専用制御チャネルで送信される、
ハイブリッドＡＲＱ送信方法。
【請求項１６】
データをデータチャネルでプロトコルデータユニットの形で送信する送信部と、
前記プロトコルデータユニットにシーケンス番号を設定する設定部と、を有し、
前記送信部は、
前記シーケンス番号を、前記データチャネルのトランスポートフォーマットインジケータと多重化して専用制御チャネルで送信する、
ハイブリッドＡＲＱ送信装置。
【請求項１７】
データをデータチャネルでプロトコルデータユニットの形で送信する送信部と、
前記プロトコルデータユニットにシーケンス番号を設定する設定部と、を有し、
前記送信部は、前記シーケンス番号を、前記データチャネルのアロケーションメッセージと多重化して制御チャネルで送信する、ハイブリッドＡＲＱ送信装置と、
前記ハイブリッドＡＲＱ送信装置によって送信された前記プロトコルデータユニットおよび前記シーケンス番号を受信する受信部を有するハイブリッドＡＲＱ受信装置と、
を有するハイブリッドＡＲＱ伝送システム。
【請求項１８】
データをデータチャネルでプロトコルデータユニットの形で受信し、前記プロトコルデータユニットに設定されたシーケンス番号を制御チャネルで受信する受信部と、
前記プロトコルデータユニットを復号する復号部と、を有し、
前記受信部は、
前記制御チャネル上の前記シーケンス番号と多重化されたアロケーションメッセージを受信する、
ハイブリッドＡＲＱ受信装置。
【請求項１９】
前記制御チャネルは、専用制御チャネルである、請求項１８記載のハイブリッドＡＲＱ受信装置。
【請求項２０】
前記アロケーションメッセージは、前記データチャネルのトランスポートフォーマットを示す情報を含む、請求項１８または請求項１９記載のハイブリッドＡＲＱ受信装置。
【請求項２１】
前記アロケーションメッセージは、前記データチャネルのトランスポートフォーマットインジケータを含む、請求項１８から請求項２０のいずれかに記載のハイブリッドＡＲＱ受信装置。
【請求項２２】
前記シーケンス番号に基づいて、再送されたプロトコルデータユニットと先に受信されたプロトコルデータユニットとを連結する連結部、
を有する請求項１８から請求項２１のいずれかに記載のハイブリッドＡＲＱ受信装置。
【請求項２３】
前記復号部による前記プロトコルデータユニットの復号の結果を示すメッセージを送信する送信部、
を有する請求項１８から請求項２２のいずれかに記載のハイブリッドＡＲＱ受信装置。
【手続補正２】
【補正対象書類名】明細書
【補正対象項目名】０００２
【補正方法】変更
【補正の内容】
【０００２】
より詳細には、本発明は、たとえば、請求項１に係るハイブリッドＡＲＱ送信方法に関するものである。この方法は、従来技術では通常、ハイブリッドＡＲＱタイプII若しくはIII、または増分冗長と呼ばれる。
【手続補正３】
【補正対象書類名】明細書
【補正対象項目名】００１４
【補正方法】変更
【補正の内容】
【００１４】
前記の目的は、たとえば、請求項１に示されたハイブリッドＡＲＱ送信方法によって、解決される。
【手続補正４】
【補正対象書類名】明細書
【補正対象項目名】００３０
【補正方法】変更
【補正の内容】
【００３０】
図２は、データだけを含んだＤＳＣＨのフレームおよびスロットの構成を示す。ＤＳＣＨでは、種々の拡散比（ＳＦ）が適用されるのに（ｋ＝０〜６に関連してＳＦ＝２５６〜４）可変データレート伝送が可能である。ＤＣＨ上のＴＦＣＩ情報には、ＤＳＣＨの拡散比・データレート・チャネル化符号についての情報が含まれている。